(57)【特許請求の範囲】
【請求項１】
複数の走査線と複数のデータ線との各交差に対応して設けられた画素と、
前記複数の走査線の各々を順次に選択する走査線駆動回路であって、前記複数の走査線の各々に対応する画素を表示状態とする全画素表示モードにおいては、第１の時間長を有する水平走査期間ごとに前記複数の走査線の各々を選択して第１の選択電圧を印加する一方、前記複数の走査線のうち特定の走査線の各々に対応する画素を選択的に表示状態とする部分表示モードにおいては、前記第１の時間長よりも長い第２の時間長を有する水平走査期間ごとに前記特定の走査線の各々に基準電圧との差の絶対値が前記第１の選択電圧よりも小さい第２の選択電圧を印加するとともに、前記第１の時間長よりも短い第３の時間長を有する水平走査期間ごとに前記特定の走査線以外の走査線の各々に印加する非選択電圧を反転させる走査線駆動回路と、
前記複数のデータ線の各々に対し、当該データ線と選択された走査線との交差に対応する画素の階調に応じたデータ信号を出力するデータ線駆動回路と
を具備することを特徴とする電気光学装置。
【請求項２】
前記複数の走査線の各々が選択される水平走査期間を累計した垂直走査期間の時間長が前記全画素表示モードと前記部分表示モードとで略等しくなるように前記第２の時間長と前記第３の時間長とが選定されている
ことを特徴とする請求項１に記載の電気光学装置。
【請求項３】
前記特定の走査線の本数と予め定められた前記第３の時間長とに基づいて前記第２の時間長を設定する設定手段
を具備することを特徴とする請求項２に記載の電気光学装置。
【請求項４】
請求項１から３の何れかに記載の電気光学装置を表示装置として備えた電子機器。
【請求項５】
複数の走査線と複数のデータ線との各交差に対応して設けられた画素を具備する電気光学装置に用いられる駆動回路において、
前記複数の走査線の各々を順次に選択する走査線駆動回路であって、前記複数の走査線の各々に対応する画素を表示状態とする全画素表示モードにおいては、第１の時間長を有する水平走査期間ごとに前記複数の走査線の各々を選択して第１の選択電圧を印加する一方、前記複数の走査線のうち特定の走査線の各々に対応する画素を選択的に表示状態とする部分表示モードにおいては、前記第１の時間長よりも長い第２の時間長を有する水平走査期間ごとに前記特定の走査線の各々に基準電圧との差の絶対値が前記第１の選択電圧よりも小さい第２の選択電圧を印加するとともに、前記第１の時間長よりも短い第３の時間長を有する水平走査期間ごとに前記特定の走査線以外の走査線の各々に印加する非選択電圧を反転させる走査線駆動回路と、
前記複数のデータ線の各々に対し、当該データ線と選択された走査線との交差に対応する画素の階調に応じたデータ信号を出力するデータ線駆動回路と
を具備することを特徴とする電気光学装置用駆動回路。
【請求項６】
複数の走査線と複数のデータ線との各交差に対応して設けられた画素を具備する電気光学装置を駆動する方法において、
前記複数の走査線の各々に対応する画素を表示状態とする全画素表示モードにおいては、第１の時間長を有する水平走査期間ごとに前記複数の走査線の各々を選択して第１の選択電圧を印加し、
前記複数の走査線のうち特定の走査線の各々に対応する画素を選択的に表示状態とする部分表示モードにおいては、前記第１の時間長よりも長い第２の時間長を有する水平走査期間ごとに前記特定の走査線の各々に基準電圧との差の絶対値が前記第１の選択電圧よりも小さい第２の選択電圧を印加するとともに、前記第１の時間長よりも短い第３の時間長を有する水平走査期間ごとに前記特定の走査線以外の走査線の各々に印加する非選択電圧を反転させる一方、
前記複数のデータ線の各々に対し、当該データ線と選択された走査線との交差に対応する画素の階調に応じたデータ信号を出力する
ことを特徴とする電気光学装置用駆動方法。
【発明の詳細な説明】
【技術分野】
【０００１】
本発明は、電気光学物質を用いて種々の画像を表示する技術に関する。
【背景技術】
【０００２】
液晶などの電気光学物質により種々の画像を表示する電気光学装置として、面状に配列
された画素の総てを用いて画像を表示する表示モード（以下「全画素表示モード」という
）と、特定の画素のみを選択的に用いて画像を表示する表示モード（以下「部分表示モー
ド」という）とを適宜に切り替えて表示を行なう構成が提案されている（例えば特許文献
１参照）。さらに詳述すると、全画素表示モードが選択されているときには、総ての走査
線の各々に供給される走査信号が所定の時間長を有する水平走査期間ごとに選択電圧とさ
れる。一方、部分表示モードが選択されているときには、表示状態とされるべき特定の画
素（以下「表示画素」という）に対応した走査線の各々に供給される走査信号が全画素表
示モードよりも長い時間長を有する水平走査期間ごとに選択電圧とされる。このように、
部分表示モードにおいて表示画素が選択される水平走査期間は、全画素表示モードにおい
て各画素が選択される水平走査期間よりも長い時間長に設定される。
【０００３】
【特許文献１】特開平７−２８１６３２号公報（段落００２３、００２４および図２）
【発明の開示】
【発明が解決しようとする課題】
【０００４】
しかしながら、この構成のもとでは、部分表示モードにおける垂直走査期間の時間長（
すなわちフレーム周期）が、表示画素に対応した水平走査期間の時間長が延長される分だ
け全画素表示モードにおける垂直走査期間の時間長よりも長くなる。このため、部分表示
モードにおいては、表示画素の容量（例えば液晶容量）に蓄えられた電荷が全画素表示モ
ードよりも長い期間にわたってリークし続けることになり、この結果として部分表示モー
ドにおける表示品位の低下が引き起こされるという問題が生じ得る。本発明は、このよう
な事情に鑑みてなされたものであり、その目的は、部分表示モードにおける表示品位を全
画素表示モードと同等の水準に維持することにある。
【課題を解決するための手段】
【０００５】
この課題を解決するために、本発明に係る電気光学装置は、複数の走査線と複数のデータ線との各交差に対応して設けられた画素と、複数の走査線の各々を順次に選択する走査線駆動回路であって、複数の走査線の各々に対応する画素を表示状態とする全画素表示モードにおいては、第１の時間長を有する水平走査期間ごとに複数の走査線の各々を選択して第１の選択電圧を印加する一方、複数の走査線のうち特定の走査線の各々に対応する画素を選択的に表示状態とする部分表示モードにおいては、第１の時間長よりも長い第２の時間長を有する水平走査期間ごとに特定の走査線の各々に基準電圧との差の絶対値が第１の選択電圧よりも小さい第２の選択電圧を印加するとともに、第１の時間長よりも短い第３の時間長を有する水平走査期間ごとに特定の走査線以外の走査線の各々に印加する非選択電圧を反転させる走査線駆動回路と、複数のデータ線の各々に対し、当該データ線と選択された走査線との交差に対応する画素の階調に応じたデータ信号を出力するデータ線駆動回路とを具備する。
【０００６】
この構成のもとでは、部分表示モードにおいて、表示画素に対応した走査線を選択する
水平走査期間が全画素表示モードにおける水平走査期間よりも長い時間長とされる一方、
表示画素に対応した走査線に印加される第２の選択電圧が全画素表示モードにおいて走査
線に印加される第１の選択電圧よりも低い電位とされる。したがって、部分表示モードに
おける消費電力を全画素表示モードよりも低減することができる。一方、表示画素以外の
画素（以下「非表示画素」という）に対応した走査線の水平走査期間は全画素表示モード
における水平走査期間よりも短い時間長とされる。この構成によれば、部分表示モードに
おいて表示画素に対応した水平走査期間を単に長い時間長とした構成と比較して、部分表
示モードにおける垂直走査期間を全画素表示モードにおける垂直走査期間に近づける（理
想的には一致させる）ことができるから、部分表示モードにおいて表示画素の容量に蓄積
された電荷がリークする時間長を全画素表示モードにおける当該時間長に近づけることが
できる。したがって、本発明によれば、部分表示モードにおける表示品位を全画素表示モ
ードにおける表示品位と同等の水準に維持することができる。
【０００７】
本発明の望ましい態様においては、複数の走査線の各々が選択される水平走査期間を累
計した垂直走査期間の時間長（すなわちフレーム周期）が全画素表示モードと部分表示モ
ードとで略等しくなるように第２の時間長と第３の時間長とが選定される。この態様によ
れば、部分表示モードにおいて電荷がリークする時間長を全画素表示モードにおいて電荷
がリークする時間長と略一致させることができるから、部分表示モードと全画素表示モー
ドとにおけるフレーム周期の相違に起因した表示品位の差異はほとんど解消される。
【０００８】
なお、非表示画素に対応した水平走査期間の時間長（第３の時間長）が予め設定された
構成も採用され得る。この構成においては、特定の走査線の本数と予め定められた第３の
時間長とに基づいて第２の時間長を設定する設定手段（後述する実施形態における「デュ
ーティ制御回路４１０」に相当する）が設けられる。例えば、非表示画素に対応した走査
線の本数と予め定められた第３の時間長とを乗算した数値（すなわち非表示画素の選択に
費やされる合計時間）を予め定められた垂直走査期間（例えば全画素表示モードにおける
垂直走査期間）の時間長から減算し、この結果として得られた数値を特定の走査線の本数
にて除算することによって第２の時間長が算定され得る。また、これとは逆に、表示画素
に対応した水平走査期間の時間長（第２の時間長）が予め設定された構成も採用され得る
。
【０００９】
本発明に係る電気光学装置は各種の電子機器の表示装置として採用され得る。例えば携
帯電話機に代表される携帯型の電子機器においては電源として電池が用いられるから、他
の電子機器と比較して特に消費電力の低減に対する要求が厳しい。本発明によれば、全画
素表示モードに加えて、消費電力が低減される部分表示モードが選択され得るから、この
種の電子機器に対して特に好適に採用され得る。具体例を挙げると、利用者によって実際
に使用されている状態においては全画素表示モードによる表示が実行される一方、他の通
信機器からの着信を待機しているとき（いわゆる待ち受け時）においては部分表示モード
による表示が実行されるといった構成が採用される。
【００１０】
本発明は、電気光学装置を駆動するための回路としても実施される。すなわち、本発明に係る電気光学装置用駆動回路は、複数の走査線の各々を順次に選択する走査線駆動回路であって、複数の走査線の各々に対応する画素を表示状態とする全画素表示モードにおいては、第１の時間長を有する水平走査期間に複数の走査線の各々を選択して第１の選択電圧を印加する一方、複数の走査線のうち特定の走査線の各々に対応する画素を選択的に表示状態とする部分表示モードにおいては、第１の時間長よりも長い第２の時間長を有する水平走査期間に特定の走査線の各々に基準電圧との差の絶対値が第１の選択電圧よりも小さい第２の選択電圧を印加するとともに、第１の時間長よりも短い第３の時間長を有する水平走査期間に特定の走査線以外の走査線の各々に印加する非選択電圧を反転させる走査線駆動回路と、複数のデータ線の各々に対し、当該データ線と選択された走査線との交差に対応する画素の階調に応じたデータ信号を出力するデータ線駆動回路とを具備する。この駆動回路によっても、本発明に係る電気光学装置と同様の作用効果が得られる。
【００１１】
さらに、本発明は、電気光学装置を駆動するための方法としても実施され得る。すなわち、本発明に係る電気光学装置用駆動方法は、複数の走査線と複数のデータ線との各交差に対応して設けられた画素を具備する電気光学装置を駆動する方法において、複数の走査線の各々に対応する画素を表示状態とする全画素表示モードにおいては、第１の時間長を有する水平走査期間ごとに複数の走査線の各々を選択して第１の選択電圧を印加し、複数の走査線のうち特定の走査線の各々に対応する画素を選択的に表示状態とする部分表示モードにおいては、第１の時間長よりも長い第２の時間長を有する水平走査期間ごとに特定の走査線の各々に基準電圧との差の絶対値が第１の選択電圧よりも小さい第２の選択電圧を印加するとともに、第１の時間長よりも短い第３の時間長を有する水平走査期間ごとに特定の走査線以外の走査線の各々に印加する非選択電圧を反転させる一方、複数のデータ線の各々に対し、当該データ線と選択された走査線との交差に対応する画素の階調に応じたデータ信号を出力することを特徴とする。この駆動方法によっても、本発明に係る電気光学装置と同様の作用効果が得られる。
【発明を実施するための最良の形態】
【００１２】
＜Ａ：電気光学装置の構成および動作＞
まず、電気光学物質として液晶を用いた液晶装置に本発明を適用した形態を説明する。
図１は、本実施形態に係る電気光学装置の構成を示すブロック図である。同図に示される
ように、電気光学装置１０は、液晶パネル１００と制御回路４００と電圧生成回路５００
とを有する。このうち液晶パネル１００は、Ｘ方向（行方向）に延在するｍ（ｍは２以上
の自然数）本の走査線３１２とＹ方向に延在するｎ（ｎは２以上の自然数）本のデータ線
２１２とを有する。走査線３１２とデータ線２１２とが交差する各地点には画素１１６が
形成される。したがって、これらの画素１１６は、縦ｍ行×横ｎ列のマトリクス状に配列
される。図１に示されるように、各画素１１６は、二端子型スイッチング素子たるＴＦＤ
（Thin Film Diode）素子２２０と、このＴＦＤ素子２２０に直列接続された液晶容量１
１８とを有する。なお、本実施形態における液晶パネル１００は、電圧が印加されていな
いときに白色表示を行なうノーマリホワイトモードである。
【００１３】
次に、図２は、液晶パネル１００の構成を示す断面図である。同図に示されるように、
液晶パネル１００は、相互に対向する素子基板２００と対向基板３００とを有する。これ
らの基板は、スペーサ１１４が分散されたシール材１１０によって一定の間隔を保って貼
り合わされている。素子基板２００および対向基板３００とシール材１１０とによって囲
まれた空間には、例えばＴＮ（Twisted Nematic）型の液晶１６０が封止されている。ま
た、素子基板２００および対向基板３００のうち液晶１６０とは反対側の板面には偏光子
１２１および１３１がそれぞれ貼着されている。
【００１４】
上述したデータ線２１２の各々は素子基板２００のうち液晶１６０と対向する板面上に
形成されている。さらに、素子基板２００の板面上には略矩形状の画素電極２３４がマト
リクス状に形成されており、同じく素子基板２００の板面上に形成されたＴＦＤ素子２２
０（図２においては図示略）を介してデータ線２１２に接続されている。各ＴＦＤ素子２
２０は、データ線２１２から枝分かれした第１の導電体と、第１の導電体の表面を陽極酸
化してなる絶縁体と、画素電極２３４に接続された第２の導電体とが素子基板２００側か
らこの順番に積層された構成となっている。したがって、各ＴＦＤ素子２２０は、電流−
電圧特性が正負双方向にわたって非線形となるダイオードスイッチング特性を有する。デ
ータ線２１２、画素電極２３４およびＴＦＤ素子２２０が形成された素子基板２００の板
面は所定の方向にラビング処理が施された配向膜２０８によって覆われている。
【００１５】
一方、上述した走査線３１２の各々は対向基板３００のうち液晶１６０と対向する板面
上に形成されている。各走査線３１２は、素子基板２００の板面上においてＸ方向に並ぶ
複数（ｎ個）の画素電極２３４と対向する帯状の電極である。図１に示した液晶容量１１
８は、データ線２１２と走査線３１２との交差において、当該走査線３１２と画素電極２
３４と両者の間に挟まれた液晶１６０とによって構成される。走査線３１２が形成された
対向基板３００の板面は所定の方向にラビング処理が施された配向膜３０８によって覆わ
れている。
【００１６】
図１に示されるように、各走査線３１２は走査線駆動回路３５０に接続されている。こ
の走査線駆動回路３５０は、ｍ本の走査線３１２の各々を順次に選択する回路である。さ
らに詳述すると、走査線駆動回路３５０は、走査信号Ｙ1、Ｙ2、…、Ｙmを、それぞれ１
行目、２行目、…、ｍ行目の走査線３１２に供給する。一方、各データ線２１２はデータ
線駆動回路２５０に接続されている。このデータ線駆動回路２５０は、走査線駆動回路３
５０により選択された走査線３１２に対応する１行分の画素１１６に対し、その表示内容
（階調）に応じたデータ信号Ｘ1、Ｘ2、…、Ｘ3を１列目、２列目、…、ｎ列目のデータ
線２１２に対してそれぞれ供給する。なお、図１においては走査線駆動回路３５０および
データ線駆動回路２５０が液晶パネル１００に配置された構成が例示されているが、液晶
パネル１００に接続されたフレキシブル配線基板（図示略）や他の配線基板に実装された
構成も採用され得る。
【００１７】
本実施形態に係る電気光学装置１０は、総ての画素１１６を用いて画像を表示する全画素表示モード、および、これらの画素のなかから選択された表示画素１１６のみを選択的に用いて画像を表示する部分表示モードという２種類の表示モードを有する。これらの表示モードは、ＣＰＵ（Central Processing Unit）などの上位装置から与えられた指示（後述する表示モード指示信号Ｓm）に応じて適宜に切り替えられる。全画素表示モードと部分表示モードとでは特に走査信号Ｙi（ｉは１≦ｉ≦ｍを満たす自然数）の波形が相違する。すなわち、図６に示されるように、全画素表示モードにおいては、総ての走査線３１２の各々に供給される走査信号Ｙiが、時間長Ｔ1を有する水平走査期間（１Ｈ）ごとに選択電圧（電圧±Ｖs1）とされる。これに対し、部分表示モードにおいては、図７に示されるように、総ての走査線３１２のうち表示画素１１６に接続された各走査線（以下「表示走査線」という）３１２に供給される走査信号Ｙiが、時間長Ｔ1よりも長い時間長Ｔ2を有する水平走査期間（１Ｈ）ごとに選択電圧（電圧±Ｖs2）とされる一方、表示走査線３１２以外の各走査線（以下「非表示走査線」という）３１２に供給される走査信号Ｙiが、時間長Ｔ1よりも短い時間長Ｔ3を有する水平走査期間ごとに反転する非選択電圧（電圧±Ｖd／２）とされる。時間長Ｔ1ないしＴ3の各々は、全画素表示モードにおける垂直走査期間（１Ｆ）と部分表示モードにおける垂直走査期間とが略等しい時間長Ｔfとなるように選定される。ここで、全画素表示モードにおける垂直走査期間の時間長は、「時間長Ｔ1×走査線３１２の総本数ｍ」として表わされる。一方、部分表示モードにおける垂直走査期間の時間長は、「（時間長Ｔ2×表示走査線３１２の本数Ｎa）＋（時間長Ｔ3×非表示走査線３１２の本数Ｎb）」として表わされる。これらの時間長がともに時間長Ｔfとして略等しくなるように、時間長Ｔ1ないしＴ3が選定されているのである。換言すると、部分表示モードにおいて各表示走査線３１２に供給される走査信号Ｙiは、全画素表示モードにおける各走査信号Ｙiよりも高いデューティ比を有する（デューティが低い）。
【００１８】
さらに、全画素表示モードと部分表示モードとでは走査信号Ｙiの選択電圧が異なる。すなわち、全画素表示モードにおいては、電圧±Ｖs1が選択電圧として各走査線３１２に印加されるのに対し、部分表示モードにおいては、図５に示されるように基準電圧との差の絶対値が電圧±Ｖs1よりも小さい電圧±Ｖs2が選択電圧として各表示走査線３１２に印加される。電圧±Ｖs1および電圧±Ｖs2の具体的な電圧値は、走査信号Ｙiが時間長Ｔ1にわたって電圧±Ｖs1とされたときに液晶１６０に印加される電圧実効値と、走査信号Ｙiが時間長Ｔ2にわたって電圧±Ｖs2とされたときに液晶１６０に印加される電圧実効値とが略等しくなるように選定される。なお、非選択電圧として用いられる電圧±Ｖd／２は表示モードに拘わらず共通であり、ＴＦＤ素子２２０をオン状態に変化させない値に設定されている。
【００１９】
図１に示されるように、電気光学装置１０には、表示モードを示す信号（以下「表示モ
ード指示信号」という）Ｓmと、ｍ本の走査線３１２のうち表示走査線３１２を指定する
信号（以下「表示ライン指定信号」という）Ｓlとが上位装置から供給される。このうち
表示モード指示信号Ｓmは制御回路４００および電圧生成回路５００に入力される一方、
表示ライン指定信号Ｓlは制御回路４００および走査線駆動回路３５０に入力される。本
実施形態においては、表示モード指示信号Ｓmにより指示される表示モードが、利用者に
よって操作部（図示略）に所定の操作が与えられることを契機として全画素表示モードお
よび部分表示モードの一方から他方に切り替えられるようになっている。また、表示ライ
ン指定信号Ｓlは、利用者によって適宜に選択された走査線３１２を表示走査線３１２と
して指定する。ただし、本実施形態においては、合計ｍ本の走査線のうち１行目の走査線
３１２と２行目の走査線３１２とが表示走査線３１２として指定され、３行目からｍ行目
までの走査線３１２が非表示走査線３１２とされた場合を想定する。
【００２０】
図１に示された電圧生成回路５００は、各画素１１６を駆動するために用いられる電圧
±Ｖs1または±Ｖs2と電圧±Ｖd／２とを生成する回路である。さらに詳述すると、電圧
生成回路５００は、表示モード指示信号Ｓmが全画素表示モードを示している場合には電
圧±Ｖs1を選択電圧として生成して走査線駆動回路３５０に出力する一方、表示モード指
示信号Ｓmが部分表示モードを示している場合には電圧±Ｖs2を選択電圧として生成して
走査線駆動回路３５０に出力する。一方、電圧±Ｖd／２は、走査線駆動回路３５０にお
いて非選択電圧として用いられるほかにデータ信号Ｘj（ｊは１≦ｊ≦ｎを満たす自然数
）の電圧としても兼用される。このため、図１に示されるように、電圧±Ｖd／２は走査
線駆動回路３５０およびデータ線駆動回路２５０の双方に供給される。図５に示されるよ
うに、電圧＋Ｖs1、＋Ｖs2および＋Ｖd／２と、電圧−Ｖs1、−Ｖs2および−Ｖd／２とは
、それぞれ所定の基準電圧Ｖcを基準として逆極性の電圧であって絶対値が等しい。
【００２１】
図１に示された制御回路４００は、クロック信号ＹＣＬＫ、クロック信号ＸＣＬＫ（い
わゆるドットクロック）および表示モード指示信号Ｓmなど上位装置から供給される各種
の信号に基づいて、各画素１１６を駆動するための種々の信号を生成する回路である。す
なわち、制御回路４００は、液晶パネル１００を水平走査するための制御信号やクロック
信号などをデータ線駆動回路２５０に供給する一方、液晶パネル１００を垂直走査するた
めの制御信号やクロック信号などを走査線駆動回路３５０に供給する。さらに、制御回路
４００は、画素１１６の階調を「０」から「７」までの８段階で指示する３ビットの画像
データＤを上位装置から受信し、これを垂直走査および水平走査に同期してデータ線駆動
回路２５０に供給する。本実施形態においては、３ビットの画像データＤが［０００］で
ある場合に最も明るい白色の表示が指示され、画像データＤの数値が増加するにつれて徐
々に階調が低下するように指示され、画像データＤが［１１１］である場合に最も暗い黒
色の表示が指示されるものとする。
【００２２】
ここで、制御回路４００が生成する各種の信号について説明する。まず、垂直走査側に用いられる信号について説明する。第１に、スタートパルスＤＹは、図６に示されるように、各垂直走査期間（１Ｆ）の最初に出力されるパルスである。第２に、シフトクロック信号ＹＳＣＫは、垂直走査側の基準信号であり、同図に示されるように１水平走査期間に相当する周期を有する。もっとも、上述したように本実施形態においては各水平走査期間の時間長が表示モードに応じて切り替えられるから、このシフトクロック信号ＹＳＣＫの周期も表示モードに応じて適宜に変更される（詳細については後述する）。第３に、極性指示信号ＰＯＬは、走査線３１２が選択されたときに印加すべき選択電圧の極性を指定する信号であり、例えば、Ｈレベルであれば正極性の選択電圧（電圧＋Ｖs1または＋Ｖs2）を、Ｌレベルであれば負極性の選択電圧（電圧−Ｖs1または−Ｖs2）をそれぞれ指示する。この極性指示信号ＰＯＬは、図６に示されるように、ひとつの垂直走査期間内では１水平走査期間ごとに論理レベルが反転し、かつ、時間的に前後する垂直走査期間の各々のうち同一の走査線３１２が選択される水平走査期間では論理レベルが逆転する関係となっている。第４に、制御信号ＩＮＨは、各水平走査期間のうち選択電圧が印加されるべき期間を規定するための信号である。後述するように、本実施形態では各水平走査期間を２分割して得られる前半期間と後半期間のうち後半期間において選択電圧が印加される。したがって、制御信号ＩＮＨは１水平走査期間の後半期間にＨレベルとなる。
【００２３】
次に、水平走査側に用いられる信号について説明する。第１に、ラッチパルスＬＰは、
図８に示されるように、各水平走査期間の最初に出力されるパルスである。第２に、リセ
ット信号ＲＥＳは、同図に示されるように、各水平走査期間の前半期間の最初と後半期間
の最初とにそれぞれ出力されるパルスである。第３に、交流駆動信号ＭＸは、画素１１６
を交流駆動するための信号であり、同図に示されるように、Ｙ側の極性指示信号ＰＯＬよ
りも位相が９０度だけ進んだ関係にある。すなわち、交流駆動信号ＭＸは、選択電圧とし
て正極性の電圧＋Ｖs1または＋Ｖs2が指定される水平走査期間では、その前半期間におい
てＨレベルとなり後半期間においてＬレベルとなる一方、選択電圧として負極性の電圧−
Ｖs1または−Ｖs2が指定される水平走査期間では、その前半期間においてＬレベルとなり
後半期間においてＨレベルとなる。第４に、階調制御パルスＧＣＰは、図８に示されるよ
うに、水平走査期間の前半期間および後半期間の各々において、白色または黒色を除く中
間（灰色）の階調（画像データＤ［１１０］、［１０１］、［１００］、［０１１］、［
０１０］、［００１］により示される階調）に対応するタイミングに出力されるパルスで
ある。なお、図８においては各階調制御パルスＧＣＰが時間軸上において等間隔に配置さ
れた場合が例示されているが、各階調制御パルスＧＣＰが出力されるタイミングは、実際
には画素１１６の印加電圧−濃度（透過率）特性（いわゆるＶ−Ｔ特性）を考慮して選定
され、必ずしも等間隔にならない。
【００２４】
上述したように、本実施形態においては各水平走査期間の時間長が表示モードに応じて
時間長Ｔ1ないしＴ3の何れかに切り替えられる。このために、制御回路４００は、表示モ
ードに応じてシフトクロック信号ＹＳＣＫの周期を適宜に変化させる。図１に示されるデ
ューティ制御回路４１０は、部分表示モードにおける各水平走査期間の時間長を特定する
ための回路である。本実施形態においては、時間長Ｔ1およびＴ3が予め設定されており、
デューティ制御回路４１０は、表示ライン指定信号Ｓlと時間長Ｔ1およびＴ3とに基づい
て時間長Ｔ2を特定する。この特定のために、デューティ制御回路４１０は、第１に、非
表示走査線３１２の本数Ｎbを算定する。この本数Ｎbは、表示ライン指定信号Ｓlから特
定される表示走査線３１２の総本数Ｎaを走査線３１２の総本数ｍから減算することによ
って得られる。第２に、デューティ制御回路４１０は、表示走査線３１２の各々が選択さ
れる水平走査期間を合計した時間長Ｔaを算定する。すなわち、まず、予め定められた時
間長Ｔ1と走査線３１２の総本数ｍとを乗算することによって全画素表示モードにおける
垂直走査期間の時間長Ｔfを算定するとともに、先に算定された非表示走査線３１２の本
数Ｎbに予め定められた時間長Ｔ3を乗算することによって非表示走査線３１２が選択され
る水平走査期間を合計した時間長Ｔbを算定する。そして、デューティ制御回路４１０は
、全画素表示モードにおける垂直走査期間の時間長Ｔfから時間長Ｔbを減算することによ
り、表示走査線３１２の各々が選択される水平走査期間を合計した時間長Ｔaを算定する
。第３に、デューティ制御回路４１０は、時間長Ｔaを表示走査線３１２の総本数Ｎaをに
よって除算することにより、１本の表示走査線３１２が選択されるべき水平走査期間の時
間長Ｔ2を算定するのである。
【００２５】
表示モード指示信号Ｓmによって全画素表示モードが指示されている場合、制御回路４
００は、時間長Ｔ1に相当する周期のクロック信号ＹＣＬＫをそのままシフトクロック信
号ＹＳＣＫとして走査線駆動回路３５０に出力する。一方、表示モード指示信号Ｓmによ
って部分表示モードが指示されている場合、制御回路４００は、図６に示されるように、
表示走査線３１２が選択されるべきタイミングが到来すると、クロック信号ＹＣＬＫの周
期を時間長Ｔ2に相当する周期に変化させたうえでシフトクロック信号ＹＳＣＫとして走
査線駆動回路３５０に出力する一方、非表示走査線３１２が選択されるべきタイミングが
到来すると、クロック信号ＹＣＬＫの周期を時間長Ｔ3に相当する周期に変化させたうえ
でシフトクロック信号ＹＳＣＫとして走査線駆動回路３５０に出力する。上述した極性指
示信号ＰＯＬ、制御信号ＩＮＨ、ラッチパルスＬＰ、リセット信号ＲＥＳ、交流駆動信号
ＭＸおよび階調制御パルスＧＣＰは、シフトクロック信号ＹＳＣＫを基準として生成され
る。したがって、これらの各信号は、図６および図７に示されるように、シフトクロック
信号ＹＳＣＫに同期した信号となり、各々の周期は表示モードに応じて随時に変化する。
【００２６】
次に、図３を参照して走査線駆動回路３５０の構成を説明する。同図に示されるシフト
レジスタ３５２は、走査線３１２の総本数に相当するｍビットの段数を有し、１垂直走査
期間の最初に供給されるスタートパルスＤＹをシフトクロック信号ＹＳＣＫによって順次
にシフトすることによって転送信号Ｙs1、Ｙs2、…、Ｙsmとして出力する回路である。何
れかの転送信号ＹsiがＨレベルになると、ｉ行目の走査線３１２を選択すべき水平走査期
間であることが指示される。
【００２７】
一方、電圧選択信号形成回路３５４は、転送信号Ｙsi、極性指示信号ＰＯＬ、制御信号
ＩＮＨおよび表示ライン指定信号Ｓlに基づいて、各行の走査線３１２への印加電圧を指
定する電圧選択信号ａ、ｂ、ｃおよびｄを生成する。電圧選択信号ａ、ｂ、ｃおよびｄは
互いに排他的にアクティブレベル（Ｈレベル）となる。電圧選択信号ａがＨレベルになる
と正極性の選択電圧（電圧＋Ｖs1または＋Ｖs2）が指定される。同様に、電圧選択信号ｂ
、ｃおよびｄがＨレベルになると、それぞれ正極性の非選択電圧（電圧＋Ｖd／２）、負
極性の非選択電圧（電圧−Ｖd／２）、および負極性の選択電圧（電圧−Ｖs1または−Ｖs
2）が指定される。本実施形態においては、上述したように、各水平走査期間の後半期間
（図６および図７においては「１／２Ｈ」と表記されている）において選択電圧が印加さ
れる。また、選択電圧が印加される水平走査期間の経過後から次の水平走査期間の最初ま
での期間（非選択期間）に印加される非選択電圧は、正極性の選択電圧（電圧＋Ｖs1また
は＋Ｖs2）が印加された後では電圧＋Ｖd／２であり、負極性の選択電圧（電圧−Ｖs1ま
たは−Ｖs2）が印加された後では電圧−Ｖd／２であって、直前の選択電圧の極性に応じ
て一義的に定まっている。
【００２８】
セレクタ群３５８は、１本の走査線３１２ごとに４個のスイッチ３５８１〜３５８４を有する。これらのスイッチ３５８１〜３５８４の一端は、各極性の選択電圧（電圧±Ｖs1または±Ｖs2）および各極性の非選択電圧（電圧±Ｖd／２）が供給される配線に接続され、他端は１本の走査線３１２に対して共通に接続されている。スイッチ３５８１〜３５８４のゲートには、それぞれ電圧選択信号ａ、ｂ、ｃおよびｄが供給される。そして、スイッチ３５８１〜３５８４の各々は、ゲートに入力される電圧選択信号ａ、ｂ、ｃおよびｄがＨレベルになると、それぞれ一端と他端との間において導通状態となる。したがって、各走査線３１２には、スイッチ３５８１〜３５８４のうち導通状態となったものを介して、選択電圧および非選択電圧の何れかが印加される。
【００２９】
次に、電圧選択信号形成回路３５４の動作について詳述する。なお、以下では、全画素
表示モードが選択されている場合と部分表示モードが選択されている場合とに分けて電圧
選択信号形成回路３５４の動作を説明する。また、部分表示モードにおいては、合計ｍ行
の走査線３１２のうち１行目の走査線３１２と２行目の走査線３１２とが表示走査線３１
２に指定されている場合を想定する。
【００３０】
（１）全画素表示モードが選択されている場合  
全画素表示モードが選択されている場合（すなわち、表示ライン指定信号Ｓlが総ての走査線３１２を表示走査線３１２として指定している場合）、電圧選択信号形成回路３５４は、以下の規則に基づいて電圧選択信号ａ、ｂ、ｃおよびｄのレベルをそれぞれ選定する（図６参照）。まず、転送信号ＹsiがＨレベルに遷移してｉ行目の走査線３１２を選択すべき水平走査期間であることが指示され、さらに、制御信号ＩＮＨがＨレベルに遷移して当該水平走査期間の後半期間であることが示されると、電圧選択信号形成回路３５４は、この走査線３１２への走査信号Ｙiの電圧レベルが、第１に、極性指示信号ＰＯＬの信号レベルに対応した極性の選択電圧となり、第２に、その後半期間の経過後に当該選択電圧に対応した極性の非選択電圧となるように電圧選択信号ａ、ｂ、ｃおよびｄのレベルを決定する。具体的には、電圧選択信号形成回路３５４は、制御信号ＩＮＨがＨレベルとなる期間において、極性指示信号ＰＯＬがＨレベルであれば正極性の選択電圧（電圧＋Ｖs1）に対応する電圧選択信号ａを当該後半期間にＨレベルとし、この後半期間が経過して制御信号ＩＮＨがＬレベルに遷移すると、正極性の非選択電圧（電圧＋Ｖd／２）に対応する電圧選択信号ｂをＨレベルとする。一方、電圧選択信号形成回路３５４は、制御信号ＩＮＨがＨレベルとなる期間において、極性指示信号ＰＯＬがＬレベルであれば負極性の選択電圧（電圧−Ｖs1）に対応する電圧選択信号ｄを当該後半期間にＨレベルとし、その後半期間が経過して制御信号ＩＮＨがＬレベルに遷移すると、負極性の非選択電圧（電圧−Ｖd／２）に対応する電圧選択信号ｃをＨレベルとする。
【００３１】
（２）部分表示モードが選択されている場合  
部分表示モードが選択されている場合（すなわち、表示ライン指定信号Ｓlが一部の走査線３１２のみを表示走査線３１２として指定している場合）、電圧選択信号形成回路３５４は、以下の規則に基づいて電圧選択信号ａ、ｂ、ｃおよびｄのレベルをそれぞれ選定する（図７参照）。まず、転送信号Ｙs1、Ｙs2、…、Ｙsmのうち表示ライン指定信号Ｓlによって指定された表示走査線３１２を選択する転送信号Ｙs1またはＹs2がＨレベルに遷移し、さらに、制御信号ＩＮＨがＨレベルに遷移して当該水平走査期間の後半期間であることが示されると、電圧選択信号形成回路３５４は、全画素表示モードが選択されている場合と同様の動作を実行する。すなわち、電圧選択信号形成回路３５４は、表示走査線３１２への走査信号Ｙi（ここでは走査信号Ｙ1またはＹ2）の電圧レベルが、第１に、極性指示信号ＰＯＬの信号レベルに対応した極性の選択電圧となり、第２に、その後半期間の経過後に当該選択電圧に対応した極性の非選択電圧となるように電圧選択信号ａ、ｂ、ｃおよびｄのレベルを決定する。ただし、このときの選択電圧は、電圧生成回路５００により、全画素表示モードが選択されているときの電圧±Ｖs1よりも基準電圧との差の絶対値が小さい電圧±Ｖs2に設定されている。
【００３２】
一方、転送信号Ｙs1、Ｙs2、…、Ｙsmのうち表示ライン指定信号Ｓlによって表示走査線３１２として指定されていない非表示走査線３１２を選択する転送信号Ｙsi（Ｙs3、Ｙs4、…、Ｙsm）がＨレベルに遷移して非表示走査線３１２を選択すべき水平走査期間であることが指示されると、電圧選択信号形成回路３５４は、以下のように動作する。すなわち、まず、制御信号ＩＮＨがＨレベルに遷移して当該水平走査期間の後半期間であることが示されると、電圧選択信号形成回路３５４は、この非表示走査線３１２への走査信号Ｙiの電圧レベルが、第１に、極性指示信号ＰＯＬの信号レベルに対応した極性の非選択電圧となり、第２に、その後半期間の経過後にも当該非選択電圧に維持されるように電圧選択信号ａ、ｂ、ｃおよびｄのレベルを決定する。具体的には、電圧選択信号形成回路３４は、制御信号ＩＮＨがＨレベルとなる期間において、極性指示信号ＰＯＬがＨレベルであれば、当該後半期間の始点から１水平走査期間に相当する時間長が経過するまで（すなわち次の水平走査期間の後半期間が到来するまで）、正極性の非選択電圧（電圧＋Ｖd／２）に対応する電圧選択信号ｂをＨレベルに維持する。一方、制御信号ＩＮＨがＨレベルとなる期間において、極性指示信号ＰＯＬがＬレベルであれば、当該後半期間の始点から１水平走査期間に相当する時間長が経過するまで、負極性の非選択電圧（電圧−Ｖd／２）に対応する電圧選択信号ｃをＨレベルに維持する。
【００３３】
このような動作が電圧選択信号形成回路３５４によって実行される結果、各走査信号Ｙiは図６および図７に示す信号波形となる。まず、全画素表示モードが選択されている場合、極性指示信号ＰＯＬがＨレベルとなる水平走査期間（時間長Ｔ1）の後半期間において、ｍ本の走査線３１２の各々に供給される走査信号Ｙiの電圧レベルは正極性の選択電圧（電圧＋Ｖs1）とされ、その後に正極性の非選択電圧（電圧＋Ｖd／２）に維持される。一方、この走査線３１２に対応する次の水平走査期間の後半期間においては、極性指示信号ＰＯＬのレベルが前回の選択とは反転したＬレベルとなるので、当該走査線３１２への走査信号Ｙiは負極性の選択電圧（電圧−Ｖs1）とされ、その後に負極性の非選択電圧（電圧−Ｖd／２）に維持される。また、極性指示信号ＰＯＬは、水平走査期間ごとに論理レベルが反転するので、各走査線３１２に供給される走査信号Ｙiは、水平走査期間ごとに（すなわち走査線３１２の１行ごとに）極性が交互に反転する。
【００３４】
また、部分表示モードが選択されている場合にも、表示走査線３１２に供給される走査信号Ｙiの波形は、水平走査期間が時間長Ｔ2とされる点と選択電圧として電圧±Ｖs2が用いられる点を除き、全画素表示モードが選択されている場合と同様となる。一方、非表示走査線３１２に供給される走査信号Ｙiの電圧レベルは、極性指示信号ＰＯＬがＨレベルとなる水平走査期間（時間長Ｔ3）の後半期間において正極性の非選択電圧（電圧＋Ｖd／２）とされ、その後もその電圧が維持される。同様に、極性指示信号ＰＯＬがＬレベルとなる水平走査期間の後半期間において、非表示走査線３１２に供給される走査信号Ｙiの電圧レベルは、負極性の非選択電圧（電圧−Ｖd／２）とされ、その後もその電圧が維持される。
【００３５】
次に、図５を参照してデータ線駆動回路２５０の構成を説明する。同図に示されるアド
レス制御回路４００は、画像データＤの読み出しに用いられる行アドレスＲadを生成する
回路であり、水平走査期間の最初に供給されるスタートパルスＤＹによって行アドレスＲ
adをリセットするとともに、水平走査期間ごとに供給されるラッチパルスＬＰにより歩進
させる構成となっている。表示データＲＡＭ（Random Access Memory）２５４は、縦ｍ行
×横ｎ列の画素１１６に対応した記憶領域を有するデュアルポートＲＡＭであり、書込側
では、制御回路４００から供給される画像データＤが制御回路４００からの書込アドレス
Ｗadにより指定された番地に書き込まれる。部分表示モードが選択されている場合、非表
示画素１１６の画像データＤは白表示を示す［０００］とされる。一方、表示データＲＡ
Ｍ２５４の読出側では、行アドレスＲadにより指定された番地に記憶された１行分の画像
データＤが一括して読み出される。
【００３６】
次に、デコーダ２５６は、データ信号Ｘ1、Ｘ2、…、Ｘnの電圧を選択するための電圧
選択信号ｅおよびｆを、表示データＲＡＭ２５４から読み出されたｎ個の画像データＤに
応じて、リセット信号ＲＥＳ、交流駆動信号ＭＸおよび階調制御パルスＧＣＰから排他的
に生成する回路である。ここで、電圧選択信号ｅは電圧＋Ｖd／２の選択を、電圧選択信
号ｆは電圧−Ｖd／２の選択をそれぞれ指示する。一方、セレクタ群２５８は、１列のデ
ータ線２１２ごとに２個のスイッチ２５８１および２５８２を有する。これらのスイッチ
２５８１および２５８２の一端は、それぞれ電圧＋Ｖd／２および電圧−Ｖd／２が供給さ
れる配線に接続され、他端は１本のデータ線２１２に対して共通に接続される。スイッチ
２５８１および２５８２のゲートには、それぞれ電圧選択信号ｅおよびｆが供給される。
そして、スイッチ２５８１および２５８２の各々は、ゲートに入力される電圧選択信号ｅ
およびｆがＨレベルになると、それぞれ一端と他端との間において導通状態となる。した
がって、各データ線２１２には、スイッチ２５８１および２５８２のうち導通状態となっ
たものを介して、電圧＋Ｖd／２および電圧−Ｖd／２の何れかが印加される。
【００３７】
次に、デコーダ２５６の動作に特に着目しながら、データ線駆動回路２５０に供給され
るデータ信号Ｘjの波形を説明する。
デコーダ２５６は、極性指示信号ＰＯＬがＨレベルである１水平走査期間において、画
像データＤが白色および黒色を除く中間階調（画像データ［１１０］、［１０１］、［１
００］、［０１１］、［０１０］および［００１］により示される灰色の階調）を示す場
合、第１に、水平走査期間の最初に供給されるリセット信号ＲＥＳによって交流駆動信号
ＭＸのレベルとは反対のレベルにリセットし、第２に、階調制御パルスＧＣＰのうち当該
画像データＤに対応するものの立ち下がりにおいて交流駆動信号ＭＸと同一のレベルにセ
ットし、第３に、水平走査期間のうち後半期間の最初に供給されるリセット信号ＲＥＳを
無視し、第４に、階調制御パルスのうち当該画像データＤに対応するものの立ち下がりに
おいて交流駆動信号ＭＸと同一のレベルに再セットするような電圧選択信号ｅおよびｆを
生成する。一方、デコーダ２５６は、極性指示信号ＰＯＬがＨレベルである水平走査期間
において、画像データＤが白色を示す［０００］であれば交流駆動信号ＭＸを反転したレ
ベルとなるように、また、画像データＤが黒色を示す［１１１］であれば交流駆動信号Ｍ
Ｘと同一のレベルとなるように、それぞれ電圧選択信号ｅおよびｆを生成する。また、デ
コーダ２５６は、極性指示信号ＰＯＬがＬレベルである水平走査期間では、極性指示信号
ＰＯＬがＨレベルである水平走査期間と比較して電圧を入れ替えた関係の電圧選択信号ｅ
およびｆを生成する。
【００３８】
図８は、デコーダ２５６に入力される画像データＤの２進数表示と、それをデコードし
て得られるデータ信号Ｘjとの関係を示す図である。また、図９は、ｉ行目の走査線３１
２への走査信号Ｙi、これよりも１行下の走査線３１２への走査信号Ｙi+1、およびｊ列目
のデータ線２１２へのデータ信号Ｘjの各波形を示す図である。なお、このデータ信号Ｘj
については、ｉ行目および（ｉ＋１）行目の走査線３１２（ここでは全画素表示モードに
おける各走査線３１２または部分表示モードにおける表示走査線３１２）とｊ列目のデー
タ線２１２との交差に配置された画素１１６を、白色表示、黒色表示、およびその中間の
灰色表示とする場合についてそれぞれ示している。
【００３９】
これらの図に示されるように、各水平走査期間のうち後半期間におけるデータ信号Ｘj
は、画素１１６の階調を暗くするにつれて点灯電圧をとる期間が長くなる。ここで、点灯
電圧は、選択電圧が正極性（電圧＋Ｖs1または＋Ｖs2）であればであれば負極性の電圧−
Ｖd／２であり、反対に選択電圧が負極性（電圧−Ｖs1または−Ｖs2）であれば正極性の
電圧＋Ｖd／２である。一方、後半期間の直前の前半期間におけるデータ信号Ｘjは、この
後半期間とは電圧が逆転した関係となっている。したがって、ひとつの水平走査期間のう
ちデータ信号Ｘjが電圧＋Ｖd／２となる時間長と電圧−Ｖd／２となる時間長とは等しく
なる。このため、画素１１６の階調が如何なるパターンで連続したとしても、ひとつの垂
直走査期間においてデータ信号Ｘjが電圧＋Ｖd／２となる時間長の累計と、電圧−Ｖd／
２となる時間長の累計とは互いに同一となる。このことは、非選択期間において画素１１
６に印加される電圧実効値が、総ての画素１１６にわたって等しいことを意味する。この
構成によれば、白色画素および黒色画素が行方向および列方向にわたって交互に配置され
た市松模様や、１行ごとに白色画素および黒色画素が交互に配置されたゼブラパターンな
どを表示する場合に問題となる列（縦）方向のクロストークが抑えられる。なお、この縦
方向のクロストークについては、例えば特開２００１−１４７６７１号広報（特に図１０
）にも開示されている。
【００４０】
以上に説明したように、本実施形態においては、部分表示モードにおいて表示走査線３１２に印加される選択電圧が全画素表示モードにおける選択電圧よりも基準電圧との差の絶対値が小さい電圧±Ｖs2とされるから、部分表示モードにおける消費電力は全画素表示モードよりも低減される。この構成にあっても、表示走査線３１２に対応する水平走査期間の時間長Ｔ2は全画素表示モードにおける水平走査期間よりも長い時間長とされるから、表示に供される画素１１６の液晶容量１１８に与えられる電圧実効値は何れの表示モードであっても変わらない。また、本実施形態においては、表示走査線３１２に対応する水平走査期間が全画素表示モードにおける水平走査期間の時間長Ｔ1よりも長い時間長Ｔ2とされるのに加えて、非表示走査線３１２が選択される水平走査期間は時間長Ｔ1よりも短い時間長Ｔ3とされ、これにより垂直走査期間の時間長Ｔfは部分表示モードと全画素表示モードとで略等しい時間長Ｔfとされる。すなわち、部分表示モードと全画素表示モードとでフレーム周波数は等しい。したがって、部分表示モードにおいて液晶容量１１８に蓄積された電荷がリークする時間長を全画素表示モードにおけるリークの時間長に略一致させることができるから、部分表示モードにおける表示品位は全画素表示モードにおける表示品位と同様の水準に維持される。
【００４１】
＜Ｂ：変形例＞
上記各実施形態に対しては種々の変形が加えられ得る。具体的な変形の態様を挙げれば
以下の通りである。
【００４２】
（１）上記実施形態においては、全画素表示モードにおいて非選択電圧として用いられる電圧±Ｖd／２を水平走査期間の後半期間において非表示走査線３１２に印加される電圧として兼用する構成を例示したが、非表示走査線３１２に印加される電圧はこれに限られない。すなわち、非表示走査線３１２に印加される電圧は、全画素表示モードにおける選択電圧（電圧±Ｖs1）よりも基準電圧との差の絶対値が小さい電圧であり、なおかつＴＦＤ素子２２０をオン状態とし得ない電圧であればよい。また、上記実施形態においては、非表示走査線３１２に対応する水平走査期間の時間長Ｔ3が予め定められた構成を例示したが、時間長Ｔ3は適宜に変更され得る。例えば、上記実施形態とは逆に、表示走査線３１２に対応する水平走査期間の時間長Ｔ2が予め定められており、この時間長Ｔ2と非表示走査線３１２の本数とから時間長Ｔ3が算定される構成も採用され得る。
【００４３】
（２）上記実施形態においては、利用者により与えられた指示に応じて部分表示モードと
全画素表示モードとが切り替えられる構成を例示したが、表示モードが切り替えられる契
機はこれに限られない。例えば、利用者が操作子を操作してから所定の時間が経過するま
での期間においては全画素表示モードにより画像を表示する一方、利用者が最後に操作子
を操作してから所定の時間が経過すると表示モードが部分表示モードに切り替えられる構
成も採用され得る。また、上記実施形態においては、部分表示モードにおける表示走査線
３１２が利用者によって選択される構成を例示したが、表示走査線３１２が予め定められ
ている構成も採用され得る（この具体的な構成は図１０を参照して後述する）。
【００４４】
（３）上記実施形態においては、選択電圧として用いられる電圧±Ｖs1および電圧±Ｖs2
の何れか一方が表示モードに応じて択一的に生成される構成を例示したが、電圧±Ｖs1お
よび電圧±Ｖs2の双方が表示モードに拘わらず電圧生成回路５００によって生成される構
成も採用され得る。この構成のもとでは、電圧±Ｖs1および電圧±Ｖs2の何れかを表示モ
ードに応じて選択する回路が電圧生成回路５００と走査線駆動回路３５０との間（あるい
は走査線駆動回路３５０の内部）に設けられる。また、上記実施形態においては、クロッ
ク信号ＹＣＬＫの周期を変化させることによって表示モードに応じたシフトクロック信号
ＹＳＣＫを随時に生成する構成を例示したが、時間長Ｔ1ないしＴ3の周期を有する３種類
のクロック信号ＣＬＫ1ないしＣＬＫ3を表示モードに拘わらずクロック信号ＹＣＬＫから
生成しておき、これらのクロック信号の何れかが表示モードに応じて選択される構成も採
用され得る。さらに詳述すると、この構成のもとでは、全画素表示モードが選択されてい
る場合には、３種類のクロック信号ＣＬＫ1ないしＣＬＫ3のうち時間長Ｔ1の周期を有す
るクロック信号ＣＬＫ1がシフトクロック信号ＹＳＣＫとして選択される一方、部分表示
モードが選択されている場合には、表示走査線３１２に対応する水平走査期間にて時間長
Ｔ2の周期を有するクロック信号ＣＬＫ2が、非表示走査線３１２に対応する水平走査期間
にて時間長Ｔ3の周期を有するクロック信号ＣＬＫ3が、それぞれシフトクロック信号ＹＳ
ＣＫとして選択される。
【００４５】
（４）上記実施形態においては、非表示画素１１６に対応する画像データＤとして白表示を示す［０００］が表示データＲＡＭ２５４に格納される構成を例示したが、非表示画素１１６に対応する画像データＤの内容はこれに限られない。非表示画素１１６が選択されてもＴＦＤ素子２２０がオン状態にならない以上は、画像データＤの内容に拘わらず非表示画素１１６の階調は白色となる（ノーマリホワイトモードの場合）からである。また、このように非表示画素１１６については表示内容が問題とならないから、非表示走査線３１２を１本ずつ選択する必要は必ずしもない。したがって、例えば総ての非表示走査線３１２を２以上の走査線３１２を単位としてブロックに区分し、このブロックごとに２以上の非表示走査線３１２に一括して非選択電圧±Ｖd／２を印加する構成も採用され得る。このように複数の非表示走査線３１２を時間長Ｔ3の水平走査期間において一括して選択することにより、１垂直走査期間のうち表示走査線３１２の選択に供される期間を長く確保することができる。したがって、非表示走査線３１２を１本ずつ選択する上記実施形態と比較して、選択電圧として用いられる電圧±Ｖs2を基準電圧との差の絶対値がより小さい電圧に設定することが可能となり、さらなる低消費電力化が図られる。
【００４６】
（５）上記実施形態においては、データ電圧Ｘjが点灯電圧となる時間長を調整すること
によって画素１１６の階調を制御する駆動方式（いわゆるパルス幅変調方式）が採用され
た構成を例示したが、これ以外の駆動方式も採用され得る。例えば、データ電圧Ｘjを画
素１１６の階調に応じた電圧レベルとすることによって画素１１６の階調を制御する駆動
方式が採用された電気光学装置１０にも本発明は適用される。また、上記実施形態におい
ては、能動素子としてＴＦＤ素子２２０を用いたアクティブマトリクス型の液晶パネル１
００を例示したが、能動素子を用いることなく、帯状の電極の交差によって液晶を挟持し
たパッシブマトリクス型の電気光学装置１０にも本発明は適用され得る。さらに、上記実
施形態では、ＴＦＤ素子２２０がデータ線２１２に接続され、液晶容量１１８が走査線３
１２に接続された構成を例示したが、これとは逆に、ＴＦＤ素子２２０が走査線３１２に
接続され、液晶容量１１８がデータ線２１２に接続された構成も採用され得る。
【００４７】
（６）本発明は、電気光学物質として液晶を用いた電気光学装置１０以外の装置にも適用
され得る。すなわち、電流や電圧といった電気的エネルギを輝度や透過率の変化といった
光学的な作用に変換する電気光学物質を用いて画像を表示する装置であれば本発明が適用
され得る。例えば、有機ＥＬ（Electro Luminescent）や発光ポリマーなどのＯＬＥＤ（O
rganic Light Emitting Diode）素子を電気光学物質として用いた表示装置や、着色され
た液体と当該液体に分散された白色の粒子とを含むマイクロカプセルを電気光学物質とし
て用いた電気泳動表示装置、極性が相違する領域ごとに異なる色に塗り分けられたツイス
トボールを電気光学物質として用いたツイストボールディスプレイ、黒色トナーを電気光
学物質として用いたトナーディスプレイ、あるいはヘリウムやネオンなどの高圧ガスを電
気光学物質として用いたプラズマディスプレイパネルなど各種の電気光学装置に本発明が
適用され得る。
【００４８】
＜Ｃ：電子機器＞
次に、本発明に係る電気光学装置を表示部として備える電子機器について説明する。図
１０は、上記実施形態に係る電気光学装置１０を有する携帯電話機の構成を示す斜視図で
ある。この図に示されるように、携帯電話機１２００は、利用者により操作される複数の
操作ボタン１２０２、他の端末装置から受信した音声を出力する受話口１２０４、および
他の端末装置に送信される音声を入力する送話口１２０６のほかに、各種の画像を表示す
る電気光学装置１０を有する。この電気光学装置１０の表示面１０ａは、その上端部に沿
って設けられた第１の表示領域１０１と、第１の表示領域１０１の下方に設けられた第２
の表示領域１０２とに区分される。このうち第１の表示領域１０１は、携帯電話機１２０
０の電池の残量を示す図像や受信電波の強度を示す図像が固定的に表示される領域である
。一方、第２の表示領域１０２は、音声通信やデータ通信に関わる多様な画像が表示され
る領域である。全画素表示モードが選択されている場合には、第１の表示領域１０１およ
び第２の表示領域１０２の双方が画像の表示に用いられる。これに対し、部分表示モード
が選択されている場合には、第１の表示領域１０１のみが表示に供される。すなわち、部
分表示モードにおいては、第１の表示領域１０１に属する走査線３１２が表示走査線３１
２とされ、第２の領域１０２に属する走査線３１２が非表示走査線３１２とされる。
【００４９】
なお、本発明に係る電気光学装置が利用され得る電子機器としては、図１０に示される
携帯電話機のほかにも、ノート型のパーソナルコンピュータや、液晶テレビ、ビューファ
インダ型（またはモニタ直視型）のビデオレコーダ、カーナビゲーション装置、ページャ
、電子手帳、電卓、ワードプロセッサ、ワークステーション、テレビ電話、ＰＯＳ端末、
タッチパネルを備えた機器等などが挙げられる。
【図面の簡単な説明】
【００５０】
【図１】本発明の実施形態に係る電気光学装置の電気的な構成を示すブロック図である。
【図２】電気光学装置のうち液晶パネルの構造を示す断面図である。
【図３】電気光学装置のうち走査線駆動回路の構成を示すブロック図である。
【図４】電気光学装置のうちデータ線駆動回路の構成を示すブロック図である。
【図５】画素の駆動に用いられる各電圧の大小関係を示す図である。
【図６】全画素表示モードが選択されているときの走査線駆動回路の動作を説明するためのタイミングチャートである。
【図７】部分表示モードが選択されているときの走査線駆動回路の動作を全画素表示モードにおける動作と対比して説明するためのタイミングチャートである。
【図８】データ線駆動回路の動作を示すタイミングチャートである。
【図９】各画素に印加される信号の波形を示すタイミングチャートである。
【図１０】本発明に係る電子機器の一例たる携帯電話機の構成を示す斜視図である。
【符号の説明】
【００５１】
１０……電気光学装置、１００……液晶パネル、２００……素子基板、３００……対向基板、１１０……シール材、１６０……液晶、１１６……画素、１１８……液晶容量、２２０……ＴＦＤ素子、２１２……データ線、２３４……画素電極、２５０……データ線駆動回路、２５４……表示データＲＡＭ、２５６……デコーダ、２５８，３５８……セレクタ群、３１２……走査線、３５０……走査線駆動回路、３５２……シフトレジスタ、３５４……電圧選択信号形成回路、４００……制御回路、４１０……デューティ制御回路（設定手段）、５００……電圧生成回路、Ｔ1……全画素表示モードにおける水平走査期間の時間長（第１の時間長）、Ｔ2……部分表示モードにおいて表示走査線３１２が選択される水平走査期間の時間長（第２の時間長）、Ｔ3……部分表示モードにおいて非表示走査線３１２が選択される水平走査期間の時間長（第３の時間長）、±Ｖs1……全画素表示モードにおける選択電圧（第１の選択電圧）の基準電圧との差分、±Ｖs2……部分表示モードにおける選択電圧（第２の選択電圧）の基準電圧との差分、Ｓm……表示モード指示信号、Ｓl……表示ライン指定信号、ＹＳＣＫ……シフトクロック信号、Ｙi……走査信号、Ｘj……データ信号。
【図１】
0004661051.tif 000002
【図２】
0004661051.tif 000003
【図３】
0004661051.tif 000004
【図４】
0004661051.tif 000005
【図５】
0004661051.tif 000006
【図６】
0004661051.tif 000007
【図７】
0004661051.tif 000008
【図８】
0004661051.tif 000009
【図９】
0004661051.tif 000010
【図１０】
0004661051.tif 000011